【手続補正書】
【提出日】平成20年11月10日(2008.11.10)
【手続補正１】
【補正対象書類名】特許請求の範囲
【補正対象項目名】全文
【補正方法】変更
【補正の内容】
【特許請求の範囲】
【請求項１】
音声素片の系列から音声を合成し、合成される音声に含まれる音声素片を、ユーザの指定に従って、異なる声質の音声素片に変更する声質制御装置であって、
少なくとも音韻情報と韻律情報とを含む入力に対して選択の候補となる複数の音声素片を格納する素片記憶手段と、
前記各入力に対して、候補となる複数の音声素片からなる前記各素片群のうちから音声素片系列を、隣接する音声素片間で予め定められた連続性を保って選択する素片選択手段と、
前記素片選択手段によって選択された音声素片の系列から音声を合成してユーザに提示する合成手段と、
前記素片群の中から、前記音声合成された系列に含まれる音声素片よりも優先的に選択されるべき音声素片を指定するためのユーザからの入力を受け付ける入力手段と、
前記ユーザにより指定された音声素片に対して、前記素片選択手段によって選択された音声素片よりも高い優先度を決定する優先度決定手段とを備え、
前記素片選択手段は、前記ユーザにより指定された前記音声素片を、前記優先度決定手段により決定された優先度に基づいて前記素片群の中から再選択し、さらに、その前後の音声素片を前記再選択前と同一の選択を許容して再選択し、
前記声質制御装置は、さらに、
前記ユーザにより順次、指定された複数の音声素片を含む音声素片の系列において、音声素片間の接続歪みを、予め定められた方法で前記音声素片間の連続性を計測することにより検出する接続歪み検出手段と、
前記素片選択手段により音声素片を再選択した後に、前記接続歪み検出手段により、所定の閾値以上の歪みを検出した場合に、前記優先度決定手段により決定された音声素片の優先度を調整する優先度調整手段とを備え、
前記素片選択手段は、調整された優先度に基づいて音声素片をさらに再選択する
ことを特徴とする声質制御装置。
【請求項２】
前記優先度調整手段は、前記音声素片の系列において、近接して指定された前記各音声素片に対して決定された優先度の大小、前記各音声素片の指定の時間的関係、指定された前記各音声素片の指定回数の少なくとも１つに基づいて、前記優先度を調整する
ことを特徴とする請求項１に記載の声質制御装置。
【請求項３】
前記優先度調整手段は、時間を変数として優先度を表す関数に基づいて、前記指定の時間的前後に応じた前記各音声素片間の優先度の大小を判定し、優先度が小さいと判定された前記音声素片については、前後の音声素片を含め、優先度が大きいと判定された前記音声素片との接続歪みがより小さくなる音声素片が前記素片群から再選択されるよう前記優先度を調整する
ことを特徴とする請求項２に記載の声質制御装置。
【請求項４】
前記関数は、正の値を取り、前記変数の一次係数の正負によって単調増加又は単調減少する関数であって、前記一次係数は、前記ユーザの指定が時間的に遅い方を重要視する場合には正の値に、時間的に早い方を重要視する場合には負の値に設定される
ことを特徴とする請求項３に記載の声質制御装置。
【請求項５】
前記素片記憶手段は、類似度に基づきクラスタリングされた複数の音声素片を格納し、
前記優先度調整手段により調整された優先度が所定の閾値よりも小さい場合には、調整された音声素片が属するクラスタの優先度を、前記優先度調整手段により調整された優先
度とする
ことを特徴とする請求項２に記載の声質制御装置。
【請求項６】
前記声質制御装置は、さらに、
前記音声合成によりユーザに提示された音声素片の前記系列と、前記系列に含まれる音声素片の選択の候補となった素片群とを表示する表示手段を備え、
前記入力手段は、表示された前記素片群の中から、優先的に選択されるべき音声素片を指定するための入力を受け付ける
ことを特徴とする請求項１に記載の声質制御装置。
【請求項７】
音声素片の系列から音声を合成し、合成される音声に含まれる音声素片を、ユーザの指定に従って、異なる声質の音声素片に変更する声質制御方法であって、
少なくとも音韻情報と韻律情報とを含む入力に対して選択の候補となる複数の音声素片を格納する素片記憶ステップと、
前記各入力に対して、候補となる複数の音声素片からなる前記各素片群のうちから音声素片系列を、隣接する音声素片間で予め定められた連続性を保って選択する素片選択ステップと、
前記素片選択ステップによって選択された音声素片の系列から音声を合成してユーザに提示する合成ステップと、
前記素片群の中から、前記音声合成された系列に含まれる音声素片よりも優先的に選択されるべき音声素片を指定するためのユーザからの入力を受け付ける入力ステップと、
前記ユーザにより指定された音声素片に対して、前記素片選択手段によって選択された音声素片よりも高い優先度を決定する優先度決定ステップとを含み、
前記素片選択ステップでは、前記ユーザにより指定された前記音声素片を、前記優先度決定ステップにより決定された優先度に基づいて前記素片群の中から再選択し、さらに、その前後の音声素片を前記再選択前と同一の選択を許容して再選択し、
前記声質制御方法は、さらに、
前記ユーザにより順次、指定された複数の音声素片を含む音声素片の系列において、音声素片間の接続歪みを、予め定められた方法で前記音声素片間の連続性を計測することにより検出する接続歪み検出ステップと、
前記素片選択ステップにより音声素片を再選択した後に、前記接続歪み検出ステップにより、所定の閾値以上の歪みを検出した場合に、前記優先度決定ステップにより決定された音声素片の優先度を調整する優先度調整ステップとを含み、
前記素片選択ステップでは、調整された優先度に基づいて音声素片をさらに再選択する
ことを特徴とする声質制御方法。
【請求項８】
音声素片の系列から音声を合成し、合成される音声に含まれる音声素片を、ユーザの指定に従って、異なる声質の音声素片に変更する声質制御装置のためのプログラムであって、
コンピュータに、少なくとも音韻情報と韻律情報とを含む入力に対して選択の候補となる複数の音声素片を格納する素片記憶ステップと、前記各入力に対して、候補となる複数の音声素片からなる前記各素片群のうちから音声素片系列を、隣接する音声素片間で予め定められた連続性を保って選択する素片選択ステップと、前記素片選択ステップによって選択された音声素片の系列から音声を合成してユーザに提示する合成ステップと、前記素片群の中から、前記音声合成された系列に含まれる音声素片よりも優先的に選択されるべき音声素片を指定するためのユーザからの入力を受け付ける入力ステップと、前記ユーザにより指定された音声素片に対して、前記素片選択手段によって選択された音声素片よりも高い優先度を決定する優先度決定ステップとを含み、前記素片選択ステップでは、前記ユーザにより指定された前記音声素片を、前記優先度決定ステップにより決定された優先度に基づいて前記素片群の中から再選択し、さらに、その前後の音声素片を前記再選択前と同一の選択を許容して再選択し、さらに、
前記ユーザにより順次、指定された複数の音声素片を含む音声素片の系列において、音声素片間の接続歪みを、予め定められた方法で前記音声素片間の連続性を計測することにより検出する接続歪み検出ステップと、前記素片選択ステップにより音声素片を再選択した後に、前記接続歪み検出ステップにより、所定の閾値以上の歪みを検出した場合に、前記優先度決定ステップにより決定された音声素片の優先度を調整する優先度調整ステップとを含み、前記素片選択ステップでは、調整された優先度に基づいて音声素片をさらに再選択することを実行させるプログラム。